(57)【要約】【課題】データ配信効率を一定レベルに確保した同報配信システムおよび同報配信方法を得る。【解決手段】トーカ１は、複数のリスナ２へ向けてデータを配信する。リスナ２は、データ再送要求部３で受信データを解析して誤りを含むデータや未達データを検出し、それらの再送をトーカ１のデータ再送制御部６へフィードバックする。トーカ１は、このフィードバックされた再送要求に基づいてデータ再送を行う。このように、リスナ２の中に含まれる回線監視部４によって回線状態を監視し、その状況をトーカ１のリスナ回線状態集計部５へフィードバックする。これにより、トーカ１は、常にリスナ２の回線状態をほぼリアルタイムに把握することができ、状況に応じてあらかじめ「問題のあるリスナ」を配信対象から除外してデータ配信を行うことにより、配信品質保持を実現することが可能となる。【選択図】　　　　図１
2004088513.tif 000002
【特許請求の範囲】
【請求項１】
所定のデータを配信するトーカと、前記データを受信する複数のリスナとを具備して構成され、
前記リスナは、受信データからデータ誤りおよびデータ欠落を検出して前記トーカに再送を要求するデータ再送要求部を有し、
前記トーカは、前記再送要求部の再送要求に応じてデータの再送を行うデータ再送制御部を有し、
前記再送要求する再送要求回線を設けたことを特徴とする同報配信システム。
【請求項２】
所定のデータを配信するトーカと、前記データを受信する複数のリスナとを具備して構成され、
前記リスナは、受信データからデータ誤りおよびデータ欠落を検出して前記トーカに再送を要求するデータ再送要求部と、回線状態を監視して前記トーカ側に伝える回線監視部とを有し、
前記トーカは、前記複数のリスナ内の回線監視部から伝達されるデータ受信状態に関する情報を集計するリスナ回線状態集計部と、複数のリスナ内のデータ再送要求部からの再送要求情報と受信状態集計部の出力情報を入力としてデータの再送を行うデータ再送制御部とを有し、
前記回線状態を監視して再送を制御することにより目的のデータ配信効率の確保を図ったことを特徴とする同報配信システム。
【請求項３】
前記複数のリスナの夫々の回線状態によって配信先リスナを前記トーカ側で取捨選択可能としたことを特徴とする請求項１または２記載の同報配信システム。
【請求項４】
リスナが、受信データからデータ誤りおよびデータ欠落を検出してトーカに再送を要求し、
前記トーカは、前記再送要求に応じて前記データの再送を行い、
前記トーカが所定のデータを配信し、該データを複数のリスナが受信し、再送要求回線から前記再送要求を行うことを特徴とする同報配信方法。
【請求項５】
複数のリスナが、受信データからデータ誤りおよびデータ欠落を検出してトーカに再送を要求し、且つ回線状態を監視して前記トーカ側に伝え、
前記トーカは、前記複数のリスナの前記回線状態を監視して伝達されるデータ受信状態に関する情報を集計し、
前記複数のリスナからの再送要求情報と出力情報を入力としてデータの再送を行い、
前記トーカが所定のデータを配信し、該配信されたデータを前記複数のリスナが受信し、
前記回線状態を監視して再送を制御することにより目的のデータ配信効率の確保を図ったことを特徴とする同報配信方法。
【請求項６】
前記複数のリスナの夫々の回線状態によって、配信先リスナを前記トーカ側で取捨選択可能としたことを特徴とする請求項４または５記載の同報配信方法。
【発明の詳細な説明】
【０００１】
【発明の属する技術分野】
本発明は、同報配信システムおよび同報配信方法に関し、特に、データ配信効率の改善を図った同報配信システムおよび同報配信方法に関する。
【０００２】
【従来の技術】
従来、同報配信システムおよび同報配信方法は一般に、配信は片方向無手順回線により行われている。また、近年では、様々な理由により信頼性の高いデータ配信システムが求められるようになり、データ配信後に到達確認を行うことによって同報配信の信頼性を向上させる工夫が行われている。
【０００３】
本発明と技術分野の類似する先願発明例１として、特開平２−９０８３１号公報の「同報通信制御方式」がある。先願発明例１では、回線品質の劣化時、親局の通信対象外とされた子局への再送時、切り離された子局のリストを設定したリンク設定フレーム送出すること、および子局から定期的に回線状態を通知する要件が開示されている。これらの要件により、効率的な再送を実行することができる。また、常に親局で子局の回線状態を把握することができるとしている。
【０００４】
【発明が解決しようとする課題】
しかしながら、上記従来の場合、データ配信時は従来どおり無手順であるために、わずかなデータ誤りに対してもこれをリカバーする仕組みが存在しない。このため、配信効率の大幅な低下が避けられていないという問題点を伴う。
【０００５】
一方、データ配信時に１対多型の双方向プロトコルを用いる様々な手法が提言されているが、実存のリスナの回線品質がそれぞれ大きく異なるために、決して満足できるスループットを得ることができないという欠点がある。
【０００６】
また、上記の先願発明例１では、自システムの配信データ受信状況のみを配信可否のための判断材料としている。よって、基本的な問題点として、他のトーカ（同報配信局）から送られるデータの受信状況を、自局の品質判断材料の一つとして利用する手法が確立されていない。
【０００７】
本発明は、データ配信効率を一定レベルに確保した同報配信システムおよび同報配信方法を提供することを目的とする。
【０００８】
【課題を解決するための手段】
かかる目的を達成するため、請求項１記載の発明の同報配信システムは、所定のデータを配信するトーカと、データを受信する複数のリスナとを具備して構成され、リスナは、受信データからデータ誤りおよびデータ欠落を検出してトーカに再送を要求するデータ再送要求部を有し、トーカは、再送要求部の再送要求に応じてデータの再送を行うデータ再送制御部を有し、再送要求する再送要求回線を設けたことを特徴としている。
【０００９】
請求項２記載の発明の同報配信システムは、所定のデータを配信するトーカと、データを受信する複数のリスナとを具備して構成され、リスナは、受信データからデータ誤りおよびデータ欠落を検出してトーカに再送を要求するデータ再送要求部と、回線状態を監視してトーカ側に伝える回線監視部とを有し、トーカは、複数のリスナ内の回線監視部から伝達されるデータ受信状態に関する情報を集計するリスナ回線状態集計部と、複数のリスナ内のデータ再送要求部からの再送要求情報と受信状態集計部の出力情報を入力としてデータの再送を行うデータ再送制御部とを有し、回線状態を監視して再送を制御することにより目的のデータ配信効率の確保を図ったことを特徴としている。
【００１０】
請求項３記載の発明は、請求項１または２記載の同報配信システムにおいて、複数のリスナの夫々の回線状態によって配信先リスナをトーカ側で取捨選択可能とするとよい。
【００１１】
請求項４記載の発明の同報配信方法は、リスナが、受信データからデータ誤りおよびデータ欠落を検出してトーカに再送を要求し、トーカは、再送要求に応じてデータの再送を行い、トーカが所定のデータを配信し、該データを複数のリスナが受信し、再送要求回線から再送要求を行うことを特徴としている。
【００１２】
請求項５記載の発明の同報配信方法は、複数のリスナが、受信データからデータ誤りおよびデータ欠落を検出してトーカに再送を要求し、且つ回線状態を監視してトーカ側に伝え、トーカは、複数のリスナの回線状態を監視して伝達されるデータ受信状態に関する情報を集計し、複数のリスナからの再送要求情報と出力情報を入力としてデータの再送を行い、トーカが所定のデータを配信し、該配信されたデータを複数のリスナが受信し、回線状態を監視して再送を制御することにより目的のデータ配信効率の確保を図ったことを特徴としている。
【００１３】
請求項６記載の発明では、請求項４または５記載の同報配信方法において、複数のリスナの夫々の回線状態によって、配信先リスナをトーカ側で取捨選択可能とするとよい。
【００１４】
【発明の実施の形態】
次に、添付図面を参照して本発明による同報配信システムおよび同報配信方法の実施の形態を詳細に説明する。図１および図２を参照すると、本発明の同報配信システムおよび同報配信方法の一実施形態が示されている。図１が第１の実施例、図２が第２の実施例を示している。
【００１５】
図１および図２に示す実施例では、トーカ（送信側）が複数のリスナ（受信側）の回線状態を逐次確認して再送トラフィック量を適切に制御することにより、データ配信効率を一定レベルに確保することのできる同報配信システムおよび同報配信方法の構成例を示している。
【００１６】
（第１の実施例）
図１において、回線監視部４によって回線状態を監視し、その状況をトーカ１のリスナ回線状態集計部５へフィードバックしてデータ再送制御部６にて再送を制御することにより、目的のデータ配信効率の確保を可能にする。
【００１７】
図１を参照すると、本発明の同報配信システムおよび同報配信方法の一実施例は、トーカ１、リスナ２、送信データ１０、受信データ１１、の各部を有して構成される。
上記構成部のトーカ１は、リスナ回線状態集計部５とデータ再送制御部６とを有している。また、リスナ２は、データ再送要求部３と回線監視部４とを有している。
【００１８】
上記のように本実施例の同報配信システムおよび同報配信方法は、データを配信するトーカ１と、データを受信する複数のリスナ２から成る。
リスナ２には、受信データからデータ誤りおよびデータ欠落を検出してトーカに再送を要求するデータ再送要求部３と、回線状態を監視してトーカ側に伝える回線監視部４が含まれる。
【００１９】
また、トーカ１には、複数のリスナ内の回線監視部４から伝達されるデータ受信状態に関する情報を集計するリスナ回線状態集計部５と、複数のリスナ内のデータ再送要求部３からの再送要求情報と受信状態集計部５の出力情報を入力としてデータの再送を行うデータ再送制御部６とが含まれる。
【００２０】
（動作例）
トーカ１は、複数のリスナ２へ向けてデータを配信する。リスナ２は、データ再送要求部３で受信データを解析して誤りを含むデータや未達データを検出し、それらの再送をトーカ１のデータ再送制御部６へフィードバックする。トーカ１は、このフィードバックされた再送要求に基づいてデータ再送を行う。
【００２１】
ここで問題になるのが、データ再送に要するトラフィック量である。もし複数のリスナの中にひとつでも回線状態の極めて悪いリスナがあると、そこから発生する再送要求でトラフィックの多くが占有されることとなる。
【００２２】
実際のデータ配信システムにおいては、そのような「問題のあるリスナ」を配信対象から除外しデータ配信効率を高めることで、配信システムそのものの品質を一定レベル以上に保持する必要がある。
【００２３】
本発明では、リスナ２の中に含まれる回線監視部４によって回線状態を監視し、その状況をトーカ１のリスナ回線状態集計部５へフィードバックする仕組みを有する。この仕組みにより、トーカ１は、常にリスナ２の回線状態をほぼリアルタイムに把握することができる。よって、状況に応じてあらかじめ「問題のあるリスナ」を配信対象から除外してデータ配信を行うことにより、前述した配信品質保持を実現することが可能となる。
【００２４】
（第１の実施例の効果）
本発明の効果は、データ配信効率を一定レベルに確保できることにある。
その理由は、すべてのリスナの回線状態をトーカが知ることによって配信対象リスナを限定することができるためである。
【００２５】
（第２の実施例）
次に、本発明の第２の実施例について図面を参照して詳細に説明する。
図２を参照すると、本発明の同報配信システムおよび同報配信方法の一実施例は、データを配信するトーカ１と、データを受信する複数のリスナ２から成る。
リスナ２の中には秘匿解除部８と、受信データからデータ誤りおよびデータ欠落を検出してトーカに再送を要求するデータ再送要求部３と、回線状態を監視してトーカ側に伝える回線監視部４が含まれる。
【００２６】
また、トーカ１にはデータ秘匿部７と、複数のリスナ内の回線監視部４から伝達されるデータ受信状態に関する情報を集計するリスナ回線状態集計部５と、複数のリスナ内のデータ再送要求部３からの再送要求情報とリスナ回線状態集計部５の出力情報を入力としてデータの再送を行うデータ再送制御部６とが含まれる。
【００２７】
本実施例においては、上記実施例で述べた方法によって配信対象から除外されたリスナがデータ受信できないよう、トーカ、リスナ側にそれぞれデータ秘匿及び秘匿解除機能を持たせている。有料データ配信を行う際は、データを秘匿化してコンディショナルアクセスの機能を持つのが一般的であり、本実施例ではデータ再送制御部６で得られた除外リスナ情報１２をデータ秘匿部に送って受信制限を行うことが可能となっている。
【００２８】
なお、上述の実施形態は本発明の好適な実施の一例である。ただし、これに限定されるものではなく、本発明の要旨を逸脱しない範囲内において種々変形実施が可能である。
【００２９】
【発明の効果】
以上の説明より明らかなように、本発明の同報配信システムおよび同報配信方法は、リスナが、受信データからデータ誤りおよびデータ欠落を検出してトーカに再送を要求し、トーカは、再送要求に応じてデータの再送を行う。この再送において、トーカが所定のデータを配信し、該データを複数のリスナが受信し、再送要求回線からの再送要求に対応して行う。このように、専用の再送要求回線を設けて再送要求を行うため、データ配信効率を一定レベルに確保した同報配信が可能となる。
【図面の簡単な説明】
【図１】本発明の同報配信システムの実施形態を示すシステム構成ブロック図である。
【図２】第２の実施例を示すシステム構成ブロック図である。
【符号の説明】
１　トーカ
２　リスナ
３　データ再送要求部
４　回線監視部
５　リスナ回線状態集計部
６　データ再送制御部
７　データ秘匿部
８　秘匿解除部
１０　送信データ
１１　受信データ
１２　除外リスナ情報
【図１】
2004088513.tif 000003
【図２】
2004088513.tif 000004